(57)【特許請求の範囲】
【請求項１】
放送波を受信する受信部を有する放送受信モジュールが着脱可能に構成され、前記放送受信モジュールが取り付けられた場合に当該放送受信モジュールから前記放送波に対応する信号が入力される放送受信装置であって、
前記放送受信モジュールに対して電力を供給するための電源部と、
前記放送受信装置に電力の供給先となる前記放送受信モジュールを特定させるための前記放送受信モジュール固有の識別情報と、前記放送受信モジュールに対する電力供給に関する時刻情報とを含む通電制御情報が、前記放送受信装置に取り付けられた前記放送受信モジュールから入力された場合に、前記識別情報により特定された当該識別情報を固有に有する前記放送受信モジュールに対して前記時刻情報に基づく通電制御を行う制御部とを備える、放送受信装置。
【請求項２】
前記放送受信モジュールは、複数設けられており、
前記通電制御情報は、少なくとも前記放送受信モジュール毎に複数存在し、
前記制御部は、複数の前記通電制御情報に基づいて、複数の前記放送受信モジュールに対する通電制御をそれぞれ個別に行うように構成されている、請求項１に記載の放送受信装置。
【請求項３】
前記複数の通電制御情報が登録される通電情報テーブルを記憶するための記憶部をさらに備え、
前記制御部は、前記通電制御情報が入力された場合に、この入力された前記通電制御情報を前記通電情報テーブルに登録するように構成されている、請求項２に記載の放送受信装置。
【請求項４】
第１の現在時刻を計時する計時部をさらに備え、
前記時刻情報は、開始時刻と終了時刻とを含み、
前記制御部は、前記第１の現在時刻が前記開始時刻になった場合に前記放送受信モジュールに対する通電を開始するとともに、前記第１の現在時刻が前記終了時刻になった場合に前記放送受信モジュールに対する通電を停止するように構成されている、請求項１に記載の放送受信装置。
【請求項５】
前記通電制御情報は、第２の現在時刻をさらに含み、
前記制御部は、前記通電制御情報が入力された場合に、前記通電制御情報に含まれる前記第２の現在時刻に基づいて、前記計時部により計時されている前記第１の現在時刻を校正するように構成されている、請求項４に記載の放送受信装置。
【請求項６】
ユーザが前記放送受信モジュールに対する電力供給に関する指示を行うための操作部をさらに備え、
前記制御部は、前記ユーザの操作に関わらず、入力された前記通電制御情報に基づいて、前記放送受信モジュールに対する通電制御を行うように構成されている、請求項１に記載の放送受信装置。
【請求項７】
前記通電制御情報は、前記放送波に乗せられた、前記放送受信モジュール毎に個別のデータの送受信に関する時刻情報を含む、請求項１に記載の放送受信装置。
【請求項８】
前記放送受信モジュールは、前記放送波に対応する映像を録画するため録画部を含み、
前記通電制御情報は、前記録画部による録画に関する時刻情報を含む、請求項１に記載の放送受信装置。
【請求項９】
電力を供給するための電源部を備えた放送受信装置に着脱可能に取り付けられ、放送波を受信する受信部を有し、前記放送受信装置に取り付けられた場合に当該放送受信装置に前記放送波に対応する信号を出力する放送受信モジュールであって、
前記放送受信装置に電力の供給先となる前記放送受信モジュールを特定させるための前記放送受信モジュール固有の識別情報と、前記放送受信モジュールに対する電力供給に関する時刻情報とを含む通電制御情報を、前記放送受信モジュールが取り付けられた前記放送受信装置に出力する出力部を備える、放送受信モジュール。
【請求項１０】
電力を供給するための電源部を備えた放送受信装置であって、放送波を受信する受信部を有する放送受信モジュールが着脱可能に構成され、前記放送受信モジュールが取り付けられた場合に当該放送受信モジュールから前記放送波に対応する信号が入力される放送受信装置による通電制御方法であって、
前記放送受信装置に電力の供給先となる前記放送受信モジュールを特定させるための前記放送受信モジュール固有の識別情報と、前記放送受信モジュールに対する電力供給に関する時刻情報とを含む通電制御情報が、前記放送受信装置に取り付けられた前記放送受信モジュールから入力された場合に、前記識別情報により特定された当該識別情報を固有に有する前記放送受信モジュールに対して前記時刻情報に基づく通電制御を行う、通電制御方法。
【発明の詳細な説明】
【技術分野】
【０００１】
本発明の実施形態は、放送受信装置、放送受信モジュールおよび通電制御方法に関する。
【背景技術】
【０００２】
従来、放送波を受信する受信部と、受信部に対する電力供給を行う電源部とを備えた放送受信装置が知られている。
【先行技術文献】
【特許文献】
【０００３】
【特許文献１】特開２０００−１５１４４４号公報
【発明の概要】
【発明が解決しようとする課題】
【０００４】
一般に、有料放送サービス等では、契約更新等の制御情報が個別情報として放送波に多重されて伝送される。しかしながら、このような制御情報（個別情報）は、ユーザの番組視聴タイミングと関係なく伝送される。このため、ユーザが番組視聴のために放送受信装置の電源を入れるのとは別に制御情報を適切に取得できるように、放送受信装置に対する通電を制御して、契約更新等の制御情報を効率的に受信することができれば、スムーズな契約更新というユーザの利便性および省電力の両方の観点から、望ましい。【０００５】
また、複数の放送サービスに対応したり将来的に機能を拡張したりすることができるように、放送サービス毎に受信部を個別にモジュール化して、この放送受信モジュールを放送受信装置本体に着脱可能（交換可能）に取り付ける構造とした場合においても同様に、放送受信モジュールに必要なタイミングで効率的に通電（電力供給）を行うことができれば望ましい。【０００６】
本発明は、上記のような課題を解決するためになされたものであり、本発明の目的は、一例として、放送受信モジュールに必要なタイミングで効率的に通電を行うことが可能な放送受信装置、放送受信モジュールおよび通電制御方法を提供することである。
【課題を解決するための手段】
【０００７】
実施形態による放送受信装置は、一例として、放送波を受信する受信部を有する放送受信モジュールが着脱可能に構成され、放送受信モジュールが取り付けられた場合に当該放送受信モジュールから放送波に対応する信号が入力される放送受信装置である。この放送受信装置は、電源部と、制御部とを備える。電源部は、放送受信モジュールに対して電力を供給するために設けられている。制御部は、放送受信装置に電力の供給先となる放送受信モジュールを特定させるための放送受信モジュール固有の識別情報と、放送受信モジュールに対する電力供給に関する時刻情報とを含む通電制御情報が、放送受信装置に取り付けられた放送受信モジュールから入力された場合に、識別情報により特定された当該識別情報を固有に有する放送受信モジュールに対して時刻情報に基づく通電制御を行う。
【図面の簡単な説明】
【０００８】
【図１】図１は、本実施形態によるテレビジョン装置の全体構成の一例を示した図である。
【図２】図２は、本実施形態によるテレビジョン装置の内部構成の一例を示したブロック図である。
【図３】図３は、本実施形態によるテレビジョン装置の装置本体部のメモリ部に記憶された通電情報テーブルの一例を示した図である。
【図４】図４は、本実施形態によるテレビジョン装置の装置本体部に通電制御情報が入力された際に実行される処理フローの一例を示したフローチャートである。
【図５】図５は、本実施形態によるテレビジョン装置の装置本体部の制御部により放送受信モジュールに対する通電制御が行われる際に実行される処理フローの一例を示したフローチャートである。
【発明を実施するための形態】
【０００９】
以下、実施形態を図面に基づいて説明する。
【００１０】
まず、図１〜図４を参照して、本実施形態によるテレビジョン装置１０００の構成について説明する。なお、テレビジョン装置１０００は、「放送受信装置」の一例である。
【００１１】
図１および図２に示すように、表示部２０２を有する装置本体部２００と、複数（３個）の放送受信モジュール１００ａ、１００ｂおよび１００ｃとを備える。
【００１２】
複数の放送受信モジュール１００ａ、１００ｂおよび１００ｃは、それぞれ、装置本体部２００に着脱可能（交換可能）に取り付けられている。なお、複数の放送受信モジュール１００ａ、１００ｂおよび１００ｃは、後述するＩＣカード１０７ａ、１０７ｂおよび１０７ｃ（図２参照）以外の部分においてそれぞれ同様の構成を有するため、以下では、放送受信モジュール１００ａについて主として説明する。また、このように複数の放送受信モジュール１００ａ、１００ｂおよび１００ｃを装置本体部２００に着脱可能に取り付ける構造を採用することによって、地域や用途などに応じた種々の受信環境に対応したテレビジョン装置１０００を提供することができる。
【００１３】
図２に示すように、放送受信モジュール１００ａは、モジュールＩ／Ｆ（インターフェース）部１０１と、チューナ部１０２と、ＤＥＭＵＸ（デマルチプレクサ）部１０３と、デコーダ部１０４と、外部通信Ｉ／Ｆ部１０５とを備える。なお、チューナ部１０２は、「受信部」の一例である。また、放送受信モジュール１００ａは、録画部１０６と、ＩＣ（Ｉｎｔｅｇｒａｔｅｄ  Ｃｉｒｃｕｉｔ）カード１０７ａと、カードＩ／Ｆ部１０８と、ＥＭＭ（Ｅｎｔｉｔｌｅｍｅｎｔ  ｍａｎａｇｅｍｅｎｔ  ｍｅｓｓａｇｅ）受信処理部１０９と、制御部１１０と、メモリ部１１１とを備える。なお、制御部１１０は、「出力部」の一例である。
【００１４】
モジュールＩ／Ｆ部１０１は、放送受信モジュール１００ａを装置本体部２００に取り付けるためのインターフェースとして機能する。また、チューナ部１０２は、放送局（図示せず）から送信される放送波を受信する機能を有する。なお、放送局とは、例えばユーザが視聴契約を結んだ有料放送サービスやＰＰＶサービスなどを行う放送局である。このような放送局により提供される放送波には、ユーザの契約内容に応じた個別情報が含まれている。ここで、個別情報とは、放送受信モジュール１００ａ（１００ｂ、１００ｃ）毎に個別のデータであり、例えば有料放送の視聴契約データやＰＰＶ番組の視聴履歴情報収集のタイミングを知らせる制御情報などのＥＭＭデータである。
【００１５】
ここで、個別情報は、常時放送波に乗せられているわけではなく、契約更新が行われたタイミングなどの所定のタイミングで放送波に乗せられる。このため、放送波には、個別情報が放送波に乗せられた状態で送受信されるタイミングを示す時刻情報も含まれている。すなわち、放送波には、時刻情報として、個別情報の送受信の開始時刻および終了時刻が含まれている。本実施形態では、放送受信モジュール１００ａ（１００ｂ、１００ｃ）は、時刻情報が受信される毎に、受信した時刻情報と、放送受信モジュール１１０ａ（１１０ｂ、１１０ｃ）固有のモジュール識別情報とを装置本体部２００に出力するように構成されている。
【００１６】
ＤＥＭＵＸ部１０３は、チューナ部１０２から出力される信号を分配する機能を有する。また、デコーダ部１０４は、ＤＥＭＵＸ部１０３から出力される信号を復号する機能を有する。また、外部通信Ｉ／Ｆ部１０５は、外部とネットワーク通信を行う機能を有する。また、録画部１０６は、ＨＤＤなどを含み、チューナ部１０２により受信された放送波に対応する番組を録画する機能を有する。
【００１７】
また、ＩＣカード１０７ａは、ＩＣカード１０７ａ固有のＩＤや、ＥＭＭデータなどが記憶されている。このＩＣカード１０７ａは、カードＩ／Ｆ部１０８に対して取り外し可能に設けられている。なお、ＥＭＭ受信処理部１０９は、ＥＭＭデータを受信する機能を有する。
【００１８】
また、制御部１１０は、放送受信モジュール１００ａの各部の制御を行うように構成されている。例えば、制御部１１０は、装置本体部２００に放送受信モジュール１１０ａに対する通電制御（詳細は、後述する）を行わせるために、上記モジュール識別情報と時刻情報とを装置本体部２００に出力する制御を行うように構成されている。また、メモリ部１１１は、制御部１１０により実行される種々のプログラムや、これら種々のプログラムが実行される際に用いられる種々のデータを記憶するために設けられている。
【００１９】
また、図２に示すように、装置本体部２００は、モジュールＩ／Ｆ部２０１と、表示部２０２と、スピーカ部２０３と、表示制御部２０４と、音声制御部２０５とを備える。また、装置本体部２００は、リモコン受信部２０６と、電源部２０７と、通電制御部２０８と、カレンダ機能部２０９と、制御部２１０と、メモリ部２１１とを備える。なお、カレンダ機能部２０９は、「計時部」の一例であるとともに、メモリ部２１１は、「記憶部」の一例である。
【００２０】
モジュールＩ／Ｆ部２０１は、放送受信モジュール１００ａ（１００ｂ、１００ｃ）を取り付けるためのインターフェースとして機能する。また、表示部２０２は、放送受信モジュール１００ａ（１００ｂ、１００ｃ）のチューナ部１０２により受信された放送波に対応する映像を表示するように構成されている。また、スピーカ部２０３は、表示部２０２に表示された映像に対応する音声を出力するように構成されている。これら表示部２０２およびスピーカ部２０３は、それぞれ、表示制御部２０４および音声制御部２０５の制御に基づいて動作するように構成されている。
【００２１】
また、リモコン受信部２０６は、テレビジョン装置１０００を操作するためのリモコン３００から送信されるリモコン信号を受信するように構成されている。なお、リモコン３００は、「操作部」の一例である。また、電源部２０７は、複数の放送受信モジュール１００ａ、１００ｂおよび１００ｃの各々に対して電力供給を行うように構成されている。なお、電源部２０７は、通電制御部２０８による制御に基づいて動作するように構成されている。
【００２２】
また、カレンダ機能部２０９は、現在時刻（第１の現在時刻）を計時する機能を有する。また、制御部２１０は、装置本体部２００の各部の制御を行うように構成されている。また、メモリ部２１１は、制御部２１０により実行される種々のプログラムや、これら種々のプログラムが実行される際に用いられる種々のデータ（後述する通電情報テーブルＴなど）を記憶するために設けられている。
【００２３】
ここで、本実施形態では、制御部２１０（通電制御部２０８）は、放送受信モジュール１００ａ（１００ｂ、１００ｃ）から上記時刻情報とモジュール識別情報とが入力された場合に、モジュール識別情報により特定された放送受信モジュール１００ａ（１００ｂ、１００ｃ）に対して時刻情報に基づく通電制御を行うように構成されている。このように、時刻情報およびモジュール識別情報は、放送受信モジュール１００ａ（１００ｂ、１００ｃ）に対する通電制御に用いられるため、以下では、時刻情報およびモジュール識別情報を通電制御情報と呼ぶ。
【００２４】
通電制御情報には、上記のように、個別情報の送受信の開始時刻と終了時刻とが含まれている。これにより、制御部２１０は、放送受信モジュール１００ａ（１００ｂ、１００ｃ）から通電制御情報が入力された場合に、通電制御情報に含まれる開始時刻に基づいて、放送受信モジュール１００ａ（１００ｂ、１００ｃ）に対する電力供給を開始する制御を行うとともに、通電制御情報に含まれる終了時刻に基づいて、放送受信モジュール１００ａ（１００ｂ、１００ｃ）に対する電力供給を停止する制御を行うように構成されている。
【００２５】
より具体的には、制御部２１０は、カレンダ機能部２０９により計時されている第１の現在時刻が開始時刻になった場合に、放送受信モジュール１００ａ（１００ｂ、１００ｃ）に対する電力供給を開始する制御を行うように構成されている。また、制御部２１０は、第１の現在時刻が終了時刻になった場合に、放送受信モジュール１００ａ（１００ｂ、１００ｃ）に対する電力供給を停止する制御を行うように構成されている。
【００２６】
また、本実施形態では、制御部２１０は、放送受信モジュール１００ａ（１００ｂ、１００ｃ）から通電制御情報が入力された場合に、この入力された通電制御情報を、メモリ部２１１に記憶された通電情報テーブルＴに登録するように構成されている。そして、制御部２１０は、通電情報テーブルＴに登録された通電制御情報に基づいて、放送受信モジュール１００ａ（１００ｂ、１００ｃ）に対する電力供給を開始または停止する制御を行うように構成されている。以下、図３を参照して、通電情報テーブルＴのデータ構造の一例について簡単に説明する。
【００２７】
図３に示すように、通電情報テーブルＴには、通電制御情報として、レコード番号と、モジュール識別情報と、開始時刻と、終了時刻と、受信チャンネル（ＣＨ）とが互いに対応付けられた状態で記憶されている。レコード番号とは、複数の通電制御情報を個別に管理するために便宜上付けられた番号である。図３では、レコード番号の一例として、「１」、「２」および「３」という番号が示されている。また、モジュール識別情報とは、複数の放送受信モジュール１００ａ、１００ｂおよび１００ｃを互いに区別するための情報である。このモジュール識別情報は、モジュール毎に固有の情報である。このため、例えば同種の放送波を受信可能な同種のモジュールであっても、各モジュールのモジュール識別情報は互いに異なる。図３では、モジュール識別情報の一例として、「ＩＮＦＯ（１）」および「ＩＮＦＯ（２）」という情報が示されている。
【００２８】
また、開始時刻とは、前述したように、放送受信モジュール１００ａ（１００ｂ、１００ｃ）に対する通電（電力供給）を開始する時刻（個別情報の送受信の開始時刻）である。図３では、開始時刻の一例として、「ＡＡ：ＡＡ：ＡＡ」、「ＢＢ：ＢＢ：ＢＢ」および「ＣＣ：ＣＣ：ＣＣ」という時刻が示されている。また、終了時刻とは、前述したように、放送受信モジュール１００ａ（１００ｂ、１００ｃ）に対する通電を停止する時刻（個別情報の送受信の終了時刻）である。図３では、終了時刻の一例として、「ＸＸ：ＸＸ：ＸＸ」、「ＹＹ：ＹＹ：ＹＹ」および「ＺＺ：ＺＺ：ＺＺ」という時刻が示されている。また、受信チャンネルとは、ユーザが視聴契約を結んだ番組のチャンネルを示す情報である。図３では、受信チャンネルの一例として、「Ｃｈ（１）」、「Ｃｈ（２）」および「Ｃｈ（３）」というチャンネルが示されている。
【００２９】
このように、本実施形態では、通電制御情報は、放送受信モジュール１００ａ（１００ｂ、１００ｃ）毎に（ユーザが視聴契約を結んだ受信チャンネル毎に）複数存在する。そして、制御部２１０は、これら複数の通電制御情報に基づいて、複数の放送受信モジュール１００ａ、１００ｂおよび１００ｃに対する電力供給をそれぞれ個別に開始または停止する制御を行うように構成されている。
【００３０】
なお、本実施形態では、ユーザによって番組の録画予約が行われた場合には、放送受信モジュール１００ａ（１００ｂ、１００ｃ）は、通電制御情報として、録画部１０６による録画の開始時刻および終了時刻を出力するように構成されている。そして、制御部２１０は、通電制御情報に含まれる録画の開始時刻（終了時刻）に基づいて、放送受信モジュール１００ａ（１００ｂ、１００ｃ）に対する電力供給を開始（停止）する制御を行うように構成されている。
【００３１】
また、本実施形態では、装置本体部２００のカレンダ機能部２０９とは別個に放送受信モジュール１００ａ（１００ｂ、１００ｃ）側で現在時刻（第２の現在時刻）が計時されている場合には、放送受信モジュール１００ａ（１００ｂ、１００ｃ）は、第２の現在時刻を含めた通電制御情報を出力するように構成されている。そして、装置本体部２００の制御部２１０は、放送受信モジュール１００ａ（１００ｂ、１００ｃ）側で計時された第２の現在時刻に基づいて、カレンダ機能部２０９により計時されている第１の現在時刻を校正する制御を行うように構成されている。なお、このような第１の現在時刻の校正処理は、放送波に含まれる現在時刻に基づいて行われてもよい。
【００３２】
また、本実施形態では、ユーザの操作（リモコン３００を用いた操作）によっても放送受信モジュール１００ａ（１００ｂ、１００ｃ）に対する電力供給を開始または停止することが可能なように構成されている。そして、制御部２１０は、ユーザの操作に関わらず、入力された通電制御情報に基づいて、放送受信モジュール１００ａ（１００ｂ、１００ｃ）に対する電力供給を開始または停止する制御を行うように構成されている。
【００３３】
次に、図４を参照して、本実施形態によるテレビジョン装置１０００の装置本体部２００の制御部２１０に通電制御情報が入力された際に実行される処理フローの一例について説明する。この処理フローでは、通電制御情報に、放送受信モジュール１００ａ（１００ｂ、１００ｃ）側で計時された現在時刻（第２の現在時刻）が含まれているものとする。
【００３４】
この処理フローでは、まず、図４に示すように、ステップＳ１において、放送受信モジュール１００ａ（１００ｂ、１００ｃ）から通電制御情報が入力されたか否かを判断する処理が実行される。このステップＳ１の処理は、通電制御情報が入力されたと判断されるまで繰り返される。そして、通電制御情報が入力されたと判断された場合に、ステップＳ２に進む。なお、通電制御情報は、放送波に乗せて送受信される個別情報の送受信のタイミングを示す時刻情報を放送受信モジュール１００ａ（１００ｂ、１００ｃ）が受信した場合に放送受信モジュール１００ａ（１００ｂ、１００ｃ）から装置本体部２００に出力される。
【００３５】
次に、ステップＳ２において、放送受信モジュール１００ａ（１００ｂ、１００ｃ）から入力された通電制御情報を通電情報テーブルＴ（図３参照）に登録する処理が実行される。なお、通電情報テーブルＴが未作成の場合（メモリ部２１１に記憶されていない場合）には、通電情報テーブルＴを新たに作成する処理が実行される。また、放送受信モジュール１００ａ（１００ｂ、１００ｃ）から入力された通電制御情報と、通電情報テーブルＴに既に登録されていた通電制御情報とで、モジュール識別情報（図３の左端から２番目の列参照）および受信チャンネル（図３の右端の列参照）が共通している場合には、通電情報テーブルＴに既に登録されていた通電制御情報を、入力された通電制御情報で更新する処理が実行される。そして、ステップＳ３に進む。
【００３６】
次に、ステップＳ３において、放送受信モジュール１００ａ（１００ｂ、１００ｃ）から入力された通電制御情報に含まれる第２の現在時刻に基づいて、装置本体部２００のカレンダ機能部２０９により計時されている第１の現在時刻を校正する処理が実行される。そして、処理が終了する。
【００３７】
次に、図５を参照して、本実施形態によるテレビジョン装置１０００の装置本体部２００の制御部２１０（通電制御部２０８）により放送受信モジュール１００ａ（１００ｂ、１００ｃ）に対する通電制御が行われる際に実行される処理フローの一例について説明する。
【００３８】
この処理フローでは、まず、ステップＳ１１において、カレンダ機能部２０９により計時されている現在時刻が、通電制御テーブルＴに登録された開始時刻（図３の右端から３番目の列参照）になったか否かを判断する処理が実行される。このステップＳ１１の処理は、現在時刻が開始時刻になったと判断されるまで繰り返される。そして、現在時刻が開始時刻になったと判断された場合に、ステップＳ１２に進む。
【００３９】
次に、ステップＳ１２において、対応するモジュール識別情報（図３の左端から２番目の列参照）を有する放送受信モジュール１００ａ（１００ｂ、１００ｃ）に対する通電（電源部２０７からの電力供給）を開始する処理が実行される。そして、ステップＳ１３に進む。
【００４０】
次に、ステップＳ１３において、カレンダ機能部２０９により計時されている現在時刻が、通電制御テーブルＴに登録された終了時刻（図３の右端から２番目の列参照）になったか否かを判断する処理が実行される。このステップＳ１３の処理は、現在時刻が終了時刻になったと判断されるまで繰り返される。そして、現在時刻が終了時刻になったと判断された場合に、ステップＳ１４に進む。
【００４１】
次に、ステップＳ１４において、対応するモジュール識別情報（図３の左端から２番目の列参照）を有する放送受信モジュール１００ａ（１００ｂ、１００ｃ）に対する通電（電源部２０７からの電力供給）を停止する処理が実行される。そして、処理が終了する。
【００４２】
以上説明したように、本実施形態では、制御部２１０（通電制御部２０８）は、放送受信モジュール１００ａ（１００ｂ、１００ｃ）固有のモジュール識別情報と、放送受信モジュール１００ａ（１００ｂ、１００ｃ）に対する電力供給に関する時刻情報とを含む通電制御情報が放送受信モジュール１００ａ（１００ｂ、１００ｃ）から入力された場合に、モジュール識別情報により特定された放送受信モジュール１００ａ（１００ｂ、１００ｃ）に対して時刻情報に基づく通電制御を行うように構成されている。これにより、一例として、放送受信モジュール１００ａ（１００ｂ、１００ｃ）に必要なタイミングで効率的に通電（電力供給）を行うことができる。
【００４３】
より具体的には、時刻情報（個別情報が放送波に乗せて送受信されるタイミングを示す情報）に基づいて、個別情報の送受信が開始するタイミングで放送受信モジュール１００ａ（１００ｂ、１００ｃ）への電力供給を開始することができるので、放送受信モジュール１００ａ（１００ｂ、１００ｃ）が自身に対応する個別情報を効率的に受信することができる。また、時刻情報に基づいて、個別情報の送受信が終了するタイミングで放送受信モジュール１００ａ（１００ｂ、１００ｃ）への電力供給を停止することができるので、個別情報を送受信するタイミング以外の不要なタイミングで放送受信モジュール１００ａ（１００ｂ、１００ｃ）への電力供給を停止することができ、テレビジョン装置１０００の省電力化を図ることができる。
【００４４】
また、本実施形態では、上記のように、通電制御情報は、放送受信モジュール１００ａ（１００ｂ、１００ｃ）毎に（ユーザが視聴契約を結んだ受信チャンネル毎に）複数存在する。そして、制御部２１０は、これら複数の通電制御情報に基づいて、複数の放送受信モジュール１００ａ、１００ｂおよび１００ｃに対する電力供給をそれぞれ個別に開始または停止する制御を行うように構成されている。これにより、一例として、複数の放送受信モジュール１００ａ、１００ｂおよび１００ｃのそれぞれに対して必要なタイミングで効率的に通電を行うことができる。
【００４５】
また、本実施形態では、上記のように、制御部２１０は、放送受信モジュール１００ａ（１００ｂ、１００ｃ）から通電制御情報が入力された場合に、入力された通電制御情報を、メモリ部２１１に記憶された通電情報テーブルＴに登録するように構成されている。そして、制御部２１０は、通電情報テーブルＴに登録された通電制御情報に基づいて、放送受信モジュール１００ａ（１００ｂ、１００ｃ）に対する電力供給を開始または停止する制御を行うように構成されている。これにより、一例として、通電情報テーブルＴに基づいて、容易に、複数の放送受信モジュール１００ａ、１００ｂおよび１００ｃのそれぞれに対して必要なタイミングで通電を行うことができる。
【００４６】
また、本実施形態では、上記のように、現在時刻を計時するためのカレンダ機能部２０９が設けられており、制御部２１０は、カレンダ機能部２０９により計時されている現在時刻が、通電情報テーブルＴに登録された開始時刻（図３の右端から３番目の列参照）になった場合に、放送受信モジュール１００ａ（１００ｂ、１００ｃ）に対する電力供給を開始する制御を行うように構成されている。また、制御部２１０は、現在時刻が終了時刻（図３の右端から２番目の列参照）になった場合に、放送受信モジュール１００ａ（１００ｂ、１００ｃ）に対する電力供給を停止する制御を行うように構成されている。これにより、一例として、カレンダ機能部２０９により計時されている現在時刻と、通電情報テーブルＴに登録された開始時刻および終了時刻とを比較することにより、容易に、複数の放送受信モジュール１００ａ、１００ｂおよび１００ｃのそれぞれに対して必要なタイミングで通電を行うことができる。
【００４７】
また、本実施形態では、上記のように、装置本体部２００のカレンダ機能部２０９とは別個に放送受信モジュール１００ａ（１００ｂ、１００ｃ）側で第２の現在時刻が計時されている場合には、放送受信モジュール１００ａ（１００ｂ、１００ｃ）は、第２の現在時刻を含めた通電制御情報を出力するように構成されている。そして、装置本体部２００の制御部２１０は、放送受信モジュール１００ａ（１００ｂ、１００ｃ）側で計時された第２の現在時刻に基づいて、カレンダ機能部２０９により計時されている第１の現在時刻を校正する制御を行うように構成されている。これにより、一例として、放送受信モジュール１００ａ（１００ｂ、１００ｃ）に対する通電制御に用いられる現在時刻をより正確に計時することができる。
【００４８】
また、本実施形態では、上記のように、ユーザの操作（リモコン３００を用いた操作）によっても放送受信モジュール１００ａ（１００ｂ、１００ｃ）に対する電力供給を開始または停止することが可能なように構成されている。そして、制御部２１０は、ユーザの操作に関わらず、入力された通電制御情報に基づいて、放送受信モジュール１００ａ（１００ｂ、１００ｃ）に対する電力供給を開始または停止する制御を行うように構成されている。これにより、一例として、ユーザの操作に関わらず、放送受信モジュール１００ａ（１００ｂ、１００ｃ）に必要なタイミングで通電を行うことができる。
【００４９】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００５０】
例えば、上記実施形態では、放送受信装置の一例としてのテレビジョン装置に本発明を適用する例を示したが、本発明は、テレビジョン装置以外の放送受信装置（チューナを有する録画装置やセットトップボックスなど）にも適用可能である。
【００５１】
また、上記実施形態の各構成要素の個数などは、適宜に変更して実施することが可能である。すなわち、上記実施形態では、装置本体部に着脱可能に取り付けられた放送受信モジュールの個数が３個である例を示したが、本発明では、放送受信モジュールの個数が２個以下であってもよいし、４個以上であってもよい。
【要約】
実施形態による放送受信装置は、一例として、放送受信モジュールが着脱可能な放送受信装置である。この放送受信装置の制御部は、放送受信モジュール固有の識別情報と、放送受信モジュールに対する電力供給に関する時刻情報とを含む通電制御情報が入力された場合に、識別情報により特定された放送受信モジュールに対して時刻情報に基づく通電制御を行う。【図１】
0005638150.tif 000002
【図２】
0005638150.tif 000003
【図３】
0005638150.tif 000004
【図４】
0005638150.tif 000005
【図５】
0005638150.tif 000006